(57)【要約】【課題】  単品としてのドームコンタクトを切断する際のパンチやダイスの消耗を軽減させその寿命の延長を図ることが可能なドームコンタクトフープとドームコンタクト製造方法を提供すること。【解決手段】  複数個のドームコンタクトをブリッジ部を介して一体に備えたシート状のドームコンタクトフープにおいて、上記ブリッジ部の所定の切断位置にはハーフカット部が設けられていることを特徴とするものであり、それによって、パンチとダイスの消耗を軽減させて寿命の延長を図ることができる。【選択図】  図２
2008181740.tif 000002
【特許請求の範囲】
【請求項１】
複数個のドームコンタクトをブリッジ部を介して一体に備えたシート状のドームコンタクトフープにおいて、
上記ブリッジ部の所定の切断位置にはハーフカット部が設けられていることを特徴とするドームコンタクトフープ。
【請求項２】
請求項１記載のコンタクトフープにおいて、
上記ハーフカット部は段違い状に設けられていて段違いの境界部が薄肉状に形成されていることを特徴とするドームコンタクトフープ。
【請求項３】
請求項１記載のコンタクトフープにおいて、
上記ハーフカット部はＶ字ノッチ状に設けられていて該Ｖ字ノッチ状の溝部が薄肉状に形成されていることを特徴とするドームコンタクトフープ。
【請求項４】
請求項１記載のコンタクトフープにおいて、
上記ハーフカット部は表裏両面側に夫々溝を形成することにより薄肉状に設けられていることを特徴とするドームコンタクトフープ。
【請求項５】
複数個のドームコンタクトをブリッジ部を介して一体に備えたシート状のドームコンタクトフープの上記ブリッジ部の所定の切断位置にハーフカット部を予め設けておき、
上記ハーフカット部をパンチとダイスによって切断するようにしたことを特徴とするドームコンタクト製造方法。
【発明の詳細な説明】
【技術分野】
【０００１】
本発明はドームコンタクトフープとドームコンタクト製造方法に係り、特に、ドームコンタクトを単品として切断する前のドームコンタクトフープの状態において所定の位置にハーフカット部を設け該ハーフカット部を切断するようにし、それによって、切断時に使用するパンチ部及びダイス部の消耗を軽減してその寿命の延長を図ることができるように工夫したものに関する。
【背景技術】
【０００２】
ドームコンタクトは、例えば、携帯電話、オーディオ機器、ビデオ機器等の各種電子機器の操作パネル等に使用されるシートスイッチやタクトスイッチ等に組み込まれて使用される。この種のドームコンタクトは単品として切断される前はフープ状になっている。すなわち、複数個のドームコンタクトがブリッジ部を介して一体化されてシート状になっているものである。これを「ドームコンタクトフープ」と称している。このようなドームコンタクトフープにおいて上記ブリッジ部をパンチ部とダイス部とによって切断することにより単品としてのドームコンタクトを得るものである。
【０００３】
この種のドームコンタクトを開示するものとして、例えば、特許文献１がある。
【特許文献１】特開２００６−３２０５３号公報
【発明の開示】
【発明が解決しようとする課題】
【０００４】
上記従来の構成によると次のような問題があった。前述したように、単品としてのドームコンタクトを得るためにはドームコンタクトフープのブリッジ部の所定位置をパンチとダイスによって切断するようにしている。その際、パンチとダイスの消耗が激しいという問題があった。特に、電子機器の組立現場において切断作業を行う場合には、切断されたドームコンタクトをそのまま電子機器の所定箇所に組み込むことになり、その為、切断時にいわゆるパンチオイルを使用することができず（パンチオイルがドームコンタクトに付着していると不都合が生じてしまうため）、上記消耗がさらに激しいものになってしまう。
又、切断時にカットバリや削り粉の発生頻度を抑制するために、上記パンチとダイスの寿命を管理してこれらを定期的に交換することが行われているが、上記したように、パンチやダイスの消耗が激しくて寿命が短くなってしまう場合には、パンチやダイスを頻繁に交換しなければならず、面倒な交換作業を余儀なくされてしまうとともにコスト的にも問題があった。
【０００５】
本発明はこのような点に基づいてなされたものでその目的とするところは、単品としてのドームコンタクトを切断する際のパンチやダイスの消耗を軽減させその寿命の延長を図ることが可能なドームコンタクトフープとドームコンタクト製造方法を提供することにある。
【課題を解決するための手段】
【０００６】
上記目的を達成するべく本願発明の請求項１によるドームコンタクトフープは、複数個のドームコンタクトをブリッジ部を介して一体に備えたシート状のドームコンタクトフープにおいて、上記ブリッジ部の所定の切断位置にはハーフカット部が設けられていることを特徴とするものである。
又、請求項２によるドームコンタクトフープは、請求項１記載のコンタクトフープにおいて、上記ハーフカット部は段違い状に設けられていて段違いの境界部が薄肉状に形成されていることを特徴とするものである。
又、請求項３によるドームコンタクトフープは、請求項１記載のコンタクトフープにおいて、上記ハーフカット部はＶ字ノッチ状に設けられていて該Ｖ字ノッチ状の溝部が薄肉状に形成されていることを特徴とするものである。
又、請求項４によるドームコンタクトフープは、請求項１記載のコンタクトフープにおいて、上記ハーフカット部は表裏両面側に夫々溝を形成することにより薄肉状に設けられていることを特徴とするものである。
又、請求項５によるドームコンタクト製造方法は、複数個のドームコンタクトをブリッジ部を介して一体に備えたシート状のドームコンタクトフープの上記ブリッジ部の所定の切断位置にハーフカット部を予め設けておき、上記ハーフカット部をパンチとダイスによって切断するようにしたことを特徴とするものである。
【発明の効果】
【０００７】
以上述べたように本願発明の請求項１によるドームコンタクトフープは、複数個のドームコンタクトをブリッジ部を介して一体に備えたシート状のドームコンタクトフープにおいて、上記ブリッジ部の所定の切断位置にはハーフカット部が設けられているので、切断時の抵抗が大幅に軽減され、パンチとダイスの消耗を軽減させて寿命の延長を図ることができる。又、パンチとダイスの寿命が延長されることにより煩雑な交換作業もその回数が減少することになり、労力が軽減されるとともにコストの低減を図ることができる。
又、請求項２によるドームコンタクトフープは、請求項１記載のコンタクトフープにおいて、上記ハーフカット部は段違い状に設けられていて段違いの境界部が薄肉状に形成されているので、簡単な構成で所望のハーフカット部を提供することができる。
又、請求項３によるドームコンタクトフープは、請求項１記載のコンタクトフープにおいて、上記ハーフカット部はＶ字ノッチ状に設けられていて該Ｖ字ノッチ状の溝部が薄肉状に形成されているので、この場合にも簡単な構成で所望のハーフカット部を提供することができる。
又、請求項４によるドームコンタクトフープは、請求項１記載のコンタクトフープにおいて、上記ハーフカット部は表裏両面側に夫々溝を形成することにより薄肉状に設けられているので、同様に簡単な構成で所望のハーフカット部を提供することができる。
又、請求項５によるドームコンタクト製造方法は、複数個のドームコンタクトをブリッジ部を介して一体に備えたシート状のドームコンタクトフープの上記ブリッジ部の所定の切断位置にハーフカット部を予め設けておき、上記ハーフカット部をパンチとダイスによって切断するようにしたものであり、上記ブリッジ部の所定の切断位置にはハーフカット部が設けられているので、切断時の抵抗が大幅に軽減され、パンチとダイスの消耗を軽減させて寿命の延長を図ることができる。  
【発明を実施するための最良の形態】
【０００８】
以下、図１乃至図３を参照して本発明の第１の実施の形態を説明する。本実施の形態によるドームコンタクトフープ１は図１に示すような構成になっている。まず、シート状の板材３があり、この板材３には複数個のドームコンタクト５がブリッジ部７、７を介して一体に設けられている。又、上記ドームコンタクト５は二列にわたって設けられている。
【０００９】
上記ドームコンタクト５及びその両側の部分を拡大すると図２に示すような構成になっている。そして、図２（ａ）、（ｂ）に示すように、ブリッジ部７、７の所定の切断箇所にはハーフカット部９が設けられている。上記ハーフカット部９は、図２（ｃ）に拡大して示すように段違い構造になっている。すなわち、ドームコンタクト５側が高くてブリッジ部７側が低くなっている。又、上記段違いの境界部が薄肉状に形成されているものである。
【００１０】
又、この実施の形態の場合には、ドームコンタクト５の厚み（ｄ１）は３０〜１００μｍの範囲で任意に設定されており、ブリッジ部７の厚み（ｄ２）も３０〜１００μｍの範囲で任意に設定されており、ハーフカット部９の厚み（ｄ３）はブリッジ部７の厚み（ｄ２）の１／３以上の値で任意の値に設定されている。このようにハーフカット部９の厚み（ｄ３）は予め小さなものとなっているので、パンチとダイスによって切断する場合の抵抗も小さなものとなり、それによって、パンチやダイスの消耗を軽減させてその寿命の延長を図ることができる。又、ハーフカット部９の厚み（ｄ３）をブリッジ部７の厚み（ｄ２）の１／３以上に設定しているのは、それ以下になるとドームコンタクト５が不用意に切断される可能性があるからである。
尚、上記数値はあくまで一例でありそれに限定されるものではない。 
【００１１】
そして、図１に示すドームコンタクトフープ１において夫々のドームコンタクト５の両側のブリッジ部７、７のハーフカット部９に対してパンチとダイスによって切断を施すことにより、図３に示すような単品としてのドームコンタクト５を得ることができる。
【００１２】
以上本実施の形態によると次のような効果を奏することができる。
まず、切断箇所が予めハーフカット部９として設けられているので、パンチとダイスとによって切断する場合の抵抗を小さなものとすることができ、それによって、パンチとダイスの消耗を軽減させてその寿命の延長を図ることができる。
又、パンチとダイスの寿命を延長させることができるので交換頻度も低くなり、交換作業を行うための労力を軽減させるとこができる。
又、消耗品の量が減少するのでコストの低減を図ることができる。
【００１３】
次に、図４を参照して第２乃至第４の実施の形態について説明する。まず、図４（ａ）を参照して第２の実施の形態を説明する。この場合には、ハーフカット部９において、ドームコンタクト５側を低くしブリッジ部７側を高くしたものである。その他の構成は前記第１の実施の形態の場合と同様である。したがって、前記第１の実施の形態の場合と同様の効果を奏することができる。
【００１４】
次に、図４（ｂ）を参照して第３の実施の形態を説明する。この場合には、ハーフカット部９をノッチ状に構成したものであり、それによって、薄肉状に形成したものである。その他の構成は前記第１の実施の形態の場合と同様である。したがって、前記第１の実施の形態の場合と同様の効果を奏することができる。
【００１５】
次に、図４（ｃ）を参照して第４の実施の形態を説明する。この場合には、ハーフカット部９を、両面側に夫々設けられた溝１１、溝１３によって構成したものであり、それによって、薄肉状に構成したものである。その他の構成は前記第１の実施の形態の場合と同様である。したがって、前記第１の実施の形態の場合と同様の効果を奏することができる。
【００１６】
次に、図５を参照して本発明の第５の実施の形態を説明する。前記第１〜第４の実施の形態の場合には、切断箇所、すなわち、ハーフカット部９の位置がドームコンタクト５とブリッジ部７の境界部となっていたが、この第５の実施の形態の場合には、ブリッジ部７側に所定量だけ偏った位置に切断箇所を設けているものである。その他の構成は前記第１の実施の形態の場合と同様である。したがって、前記第１の実施の形態の場合と同様の効果を奏することができる。
【００１７】
次に、図６を参照して本発明の第６の実施の形態を説明する。前記第１〜第４の実施の形態の場合には、切断箇所、すなわち、ハーフカット部９がドームコンタクト５とブリッジ部７の境界部となっていたが、この第６の実施の形態の場合には、ドームコンタクト５側に所定量だけ偏った位置に切断箇所を設けているものである。その他の構成は前記第１の実施の形態の場合と同様である。したがって、前記第１の実施の形態の場合と同様の効果を奏することができる。
【００１８】
次に、図７を参照して本発明の第７の実施の形態について説明する。この第７の実施の形態の場合には、別の構成のドームコンタクトフープ１を示すものである。すなわち、前記第１の実施の形態の場合には、図１に示すように、ドームコンタクト５を二列で連結した構成になっている。これに対して、この第７の実施の形態の場合には一列となっている。その他の構成は前記第１の実施の形態の場合と同様である。したがって、前記第１の実施の形態の場合と同様の効果を奏することができる。
【００１９】
尚、本発明は前記第１〜第７の実施の形態に限定されるものではない。
例えば、前記各実施の形態の場合にはブリッジ部７が２個になっているが、それに限定されるものではなく、１個、３個以上の場合も想定される。
又、ハーフカット部の構成や厚みについてもこれを特に限定するものではない。
【産業上の利用可能性】
【００２０】
本発明は、ドームコンタクトフープとドームコンタクト製造方法に係り、特に、ドームコンタクトを単品として切断する前のつなぎ部にハーフカット部を設け、それによって、切断時に使用するパンチ部及びダイス部の消耗を軽減し、その寿命の延長を図ることができるように工夫したものに関し、例えば、携帯電話、オーディオ機器、ビデオ機器等の各種電子機器の操作パネル等に使用されるシートスイッチやタクトスイッチ等に組み込まれて使用されるドームコンタクトとその製造方法に好適である。
【図面の簡単な説明】
【００２１】
【図１】本発明の第１の実施の形態を示す図で、ドームコンタクトフープを示す平面図である。
【図２】本発明の第１の実施の形態を示す図で、図２（ａ）は１個のドームコンタクトの構成を示す平面図、図２（ｂ）は図２（ａ）のｂ−ｂ矢視図、図２（ｃ）は図２（ｂ）のｃ部を拡大して示す図である。
【図３】本発明の第１の実施の形態を示す図で、切断されて単品となったドームコンタクトを示す平面図である。
【図４】本発明の第２〜第４の実施の形態を示す図で、図４（ａ）は第２の実施の形態によるハーフカット部を示す図、図４（ｂ）は第３の実施の形態によるハーフカット部を示す図、図４（ｃ）は第４の実施の形態によるハーフカット部示す図である。
【図５】本発明の第５の実施の形態を示す図で、切断されて単品となったドームコンタクトを示す平面図である。
【図６】本発明の第６の実施の形態を示す図で、切断されて単品となったドームコンタクトを示す平面図である。
【図７】本発明の第７の実施の形態を示す図で、ドームコンタクトフープを示す平面図である。
【符号の説明】
【００２２】
１  ドームコンタクトフープ
３  板材
５  ドームコンタクト
７  ブリッジ部
９  ハーフカット部
１１  溝
１３  溝
ｄ１  ドームコンタクトの厚み
ｄ２  ブリッジ部の厚み
ｄ３  ハーフカット部の厚み
【図１】
2008181740.tif 000003
【図２】
2008181740.tif 000004
【図３】
2008181740.tif 000005
【図４】
2008181740.tif 000006
【図５】
2008181740.tif 000007
【図６】
2008181740.tif 000008
【図７】
2008181740.tif 000009